(57)【特許請求の範囲】
【請求項１】
内側にレールを備えた矩形のサッシュ枠と、前記レールに沿って引き違い式にスライドして前記サッシュ枠の内側空間を開閉するように矩形に形成された一対のサッシュ本体とを備え、
前記一対のサッシュ本体のそれぞれが、その四隅にコーナブロックを備えているサッシュ構造であって、
前記サッシュ枠の下枠体に設けられた下側レールに、その下側レールより室内側に侵入した水を室外側に排出する排水用切欠き部が、前記下側レールに沿って設けられ、
前記サッシュ本体の下方に位置する下コーナブロックが、前記一対のサッシュ本体により前記サッシュ枠の内側空間を閉じた閉じ姿勢において、前記排水用切欠き部に対向するように構成され、
前記閉じ姿勢において、前記下コーナブロックと前記サッシュ枠との隙間からの風の侵入を抑制するシール部材が、前記下コーナブロックに対応する前記排水用切欠き部の下方からその排水用切欠き部に沿って突出する状態で前記サッシュ枠部分に設けられた枠側シール部材としての横ヒレと、前記横ヒレに摺接して前記排水用切欠き部横側方からの風の侵入を抑制するべく前記下側レール側に突出する状態で前記下コーナブロックに設けられた縦ヒレで構成され、
前記サッシュ本体の下コーナブロック間に位置する下框部材に、その下框部材の長手方向に沿って前記下側レールの室外側の側面に摺接する下框用ヒレが取付けられているサッシュ構造。
【請求項２】
前記横ヒレが、室外側ほど下方に位置するように傾斜状に設けられている請求項１に記載のサッシュ構造。
【発明の詳細な説明】
【０００１】
【発明の属する技術分野】
本発明は、内側にレールを備えた矩形のサッシュ枠と、前記レールに沿って引き違い式にスライドして前記サッシュ枠の内側空間を開閉するように矩形に形成された一対のサッシュ本体とを備え、前記一対のサッシュ本体のそれぞれが、その四隅にコーナブロックを備えているサッシュ構造に関する。
【０００２】
【従来の技術】
このような構成のサッシュ構造では、引き違い式にスライドする一対のサッシュ本体のそれぞれが、上下の框部材と左右の横框部材とで構成され、それら框部材がコーナブロックを介して互いに連結されて矩形に形成されているので、サッシュ本体の四隅には、必然的にコーナブロックが存在することになる。
【０００３】
この四隅にコーナブロックを備えた一対のサッシュ本体によりサッシュ枠の内側空間を閉じた閉じ姿勢において、各サッシュ本体とサッシュ枠との隙間から風が侵入するのを抑制するため、従来、サッシュ本体を構成する上下の框部材や横框部材にシール部材を取付けて、前記閉じ姿勢において、各シール部材がサッシュ枠に接当あるいは摺接するように構成したものが知られている。
【０００４】
しかしながら、サッシュ本体の四隅に位置するコーナブロックについては、そのコーナブロックが、サッシュ本体を構成する各框部材と別体で、しかも、サッシュ枠に対してサッシュ本体を嵌め込む際に、組付け誤差などに対応するべく、各コーナブロックに対する框部材の取付け位置を修正する機能を備えており、かつ、コーナブロックにおける各框部材の長手方向に沿う長さが、各框部材の長さに比べてかなり短いなどの理由で、従来、各コーナブロックとサッシュ枠との隙間については、特別な考慮が払われていなかったのが実状である。
【０００５】
【発明が解決しようとする課題】
したがって、上述した従来のサッシュ構造では、一対のサッシュ本体によりサッシュ枠の内側空間を閉じた閉じ姿勢において、各サッシュ本体の四隅に位置するコーナブロックとサッシュ枠との間の隙間から室内側へ風が侵入する虞があり、この点に改良の余地があった。
【０００６】
本発明は、このような従来の問題点に着目したもので、その目的は、引き違い式にスライドする一対のサッシュ本体によりサッシュ枠の内側空間を閉じた閉じ姿勢において、各サッシュ本体のコーナブロックとサッシュ枠との間からの風の侵入を抑制することのできるサッシュ構造の提供にある。
【０００７】
【課題を解決するための手段】
〔構成〕
請求項１の発明の特徴構成は、図１〜図４、図７、図１０〜図１３に例示するごとく、内側にレール７，８，９，１０を備えた矩形のサッシュ枠１と、前記レール７，８，９，１０に沿って引き違い式にスライドして前記サッシュ枠１の内側空間を開閉するように矩形に形成された一対のサッシュ本体２，３とを備え、前記一対のサッシュ本体２，３のそれぞれが、その四隅にコーナブロック２１，２２，４１，４２を備えているサッシュ構造であって、前記サッシュ枠１の下枠体４に設けられた下側レール７，８に、その下側レール７，８より室内側に侵入した水を室外側に排出する排水用切欠き部１１，１２が、前記下側レール７，８に沿って設けられ、前記サッシュ本体２，３の下方に位置する下コーナブロック２１，４１が、前記一対のサッシュ本体２，３により前記サッシュ枠１の内側空間を閉じた閉じ姿勢において、前記排水用切欠き部１１，１２に対向するように構成され、前記閉じ姿勢において、前記下コーナブロック２１，４１と前記サッシュ枠１との隙間からの風の侵入を抑制するシール部材が、前記下コーナブロック２１，４１に対応する前記排水用切欠き部１１，１２の下方からその排水用切欠き部１１，１２に沿って突出する状態で前記サッシュ枠１部分に設けられた枠側シール部材としての横ヒレ１５，１７と、前記横ヒレ１５，１７に摺接して前記排水用切欠き部１１，１２横側方からの風の侵入を抑制するべく前記下側レール７，８側に突出する状態で前記下コーナブロック２１，４１に設けられた縦ヒレ２６，４６で構成され、前記サッシュ本体２，３の下コーナブロック２１，４１間に位置する下框部材１８，３８に、その下框部材１８，３８の長手方向に沿って前記下側レール７，８の室外側の側面に摺接する下框用ヒレ２９，４９が取付けられているところにある。
【００１２】
請求項２の発明の特徴構成は、図１０および図１２に例示するごとく、前記横ヒレ１５，１７が、室外側ほど下方に位置するように傾斜状に設けられているところにある。
【００１３】
なお、上述のように、図面との対照を便利にするために符号を記したが、該記入により本発明は添付図面の構成に限定されるものではない。
【００１４】
〔作用及び効果〕
請求項１の発明の特徴構成によれば、引き違い式にスライドする一対のサッシュ本体によりサッシュ枠の内側空間を閉じた閉じ姿勢において、サッシュ本体のコーナブロックとサッシュ枠との隙間からの風の侵入を抑制するシール部材が、コーナブロックとサッシュ枠との間に設けられているので、サッシュ本体によりサッシュ枠の内側空間を閉じた状態では、各サッシュ本体のコーナブロックとサッシュ枠との間から風が侵入するのを確実に抑制することができる。
【００１６】
また、請求項１の発明の特徴構成によれば、前記シール部材が、前記閉じ姿勢において、コーナブロックに対応するサッシュ枠部分に設けられた枠側シール部材で構成されているので、前記閉じ姿勢においては、枠側シール部材がコーナブロックに接当あるいは摺接するものの、開き姿勢においては、枠側シール部材がコーナブロックに接当あるいは摺接しないように構成することができ、したがって、サッシュ本体の開閉スライドに伴うシール部材の摩損を抑制することができる。
【００１７】
さらに、請求項１の発明の特徴構成によれば、サッシュ枠の下枠体に設けられた下側レールに、その下側レールより室内側に侵入した水を室外側に排出する排水用切欠き部が、前記下側レールに沿って設けられているので、例えば、下側レールより室内側に雨水などが侵入しても、その雨水などを排水用切欠き部から室外側へ排出することができる。
そして、サッシュ本体の下方に位置する下コーナブロックが、前記閉じ姿勢において、その排水用切欠き部に対向するように構成され、前記枠側シール部材が、排水用切欠き部の下方からその排水用切欠き部に沿って突出して、前記下コーナブロックに摺接する横ヒレで構成されているので、排水用切欠き部が存在するにもかかわらず、前記閉じ姿勢においては、枠側シール部材としての横ヒレが、排水用切欠き部の下方においてコーナブロックとサッシュ枠との間の隙間をシールして、排水用切欠き部からの風の侵入を抑制することができる。
【００１８】
さらに、請求項１の発明の特徴構成によれば、前記下コーナブロックに下側レール側に突出する縦ヒレが設けられ、その縦ヒレが、前記閉じ姿勢において、前記横ヒレに摺接して排水用切欠き部横側方からの風の侵入を抑制するように構成されているので、前記横ヒレが、排水用切欠き部下方からの風の侵入を抑制するのに加えて、前記縦ヒレが、排水用切欠き部横側方からの風の侵入を抑制することになり、前記横ヒレと縦ヒレとの協働作用によって、排水用切欠き部からの風の侵入をより効果的に抑制することができる。
そして、前記サッシュ本体の下コーナブロック間に位置する下框部材に、その下框部材の長手方向に沿って前記下側レールの室外側の側面に摺接する下框用ヒレが取付けられているので、下框部材と下側レールの間からの風の侵入も抑制することができる。
【００１９】
請求項２の発明の特徴構成によれば、前記横ヒレが、室外側ほど下方に位置するように傾斜状に設けられているので、下側レールより室内側に侵入した雨水などを排水用切欠き部から室外側へ排出する際には、その傾斜した横ヒレが、雨水などを室外側へ案内することになり、雨水などの排出を円滑に行うことができるとともに、室外側からの風の侵入に対しては、その侵入を確実に抑制することができる。
【００２０】
【発明の実施の形態】
本発明によるサッシュ構造の実施の形態を図面に基づいて説明する。
なお、本明細書においては、特に断わりがない限り、建屋の室内方向を室内側、建屋の室外方向を室外側と称し、建屋の室内側から見て右方向を右側、左方向を左側と称する。
このサッシュ構造は、例えば、図１および図２に示すように、建屋における引き違い式の窓や引き違い戸などに使用されるもので、全体が矩形に構成されたアルミ製のサッシュ枠１が、建屋の壁などに固定され、一対の板ガラスからなる真空ガラスや複層ガラス、あるいは、単板の板ガラスＧなどを保持する一対のサッシュ本体２，３、つまり、室内側に位置する内サッシュ本体２と室外側に位置する外サッシュ本体３とが、サッシュ枠１の内側にスライド自在に嵌め込まれている。
【００２１】
前記サッシュ枠１は、下枠体４と上枠体５、ならびに、上下の枠体４，５を連結する左右一対の横枠体６により矩形に組付けられて構成され、その下枠体４は、室内側ほど高く、室外側ほど低くなるように階段状に構成され、その下枠体４には、一対の下側レール７，８が内外方向に間隔を置いて、かつ、室内側に位置する下側内レール７の方が、室外側に位置する下側外レール８よりも高くなるように設けられ、上枠体５には、その一対の下側レール７，８に対向するように上側内レール９と上側外レール１０とが設けられている。
一対のサッシュ本体２，３は、内サッシュ本体２を右側に、外サッシュ本体３を左側にスライドさせた状態で、サッシュ枠１の内側空間を閉じる閉じ姿勢になるように構成され、図３に示すように、下側内レール７の右端に排水用切欠き部１１が、図４に示すように、下側外レール８の左端にも排水用切欠き部１２が、それぞれ下側レール７，８に沿って設けられ、更に、下側外レール８には複数の排水孔１３も設けられている。
【００２２】
すなわち、下側内レール７の右端が切欠かれて、図１０および図１１にも示すように、その上面が下側内レール７の上端よりも下方に位置する合成樹脂製の保持部材１４が設けられ、その保持部材１４の上面の上方が、排水用切欠き部１１に構成されて、保持部材１４には、軟質の合成樹脂で形成された横ヒレとしての第一内側ヒレ１５が、排水用切欠き部１１の下方において排水用切欠き部１１に沿って突出する状態に取付けられている。
この第一内側ヒレ１５は、下側内レール７より室内側へ侵入した雨水などを排水用切欠き部１１から室外側へ排水するのを許容するとともに、前記閉じ姿勢において、室内への風の侵入を抑制する枠側シール部材として機能するもので、上下方向に２枚設けられ、室外側ほど下方に位置する傾斜姿勢で外側に突出するように取付けられている。
同様に、下側外レール８の左端も切欠かれ、図１２および図１３にも示すように、その上面が下側外レール８の上端よりも下方に位置する合成樹脂製の保持部材１６が設けられて、その上面の上方が排水用切欠き部１２に構成され、その保持部材１６にも、上述した第一内側ヒレ１５と同様な横ヒレからなる枠側シール部材としての第一外側ヒレ１７が、室外側ほど下方に位置する傾斜姿勢で突出するように取付けられている。
【００２３】
前記内サッシュ本体２は、図６の（ロ）に示すように、アルミ製の下框部材１８と上框部材１９、ならびに、左右一対の横框部材２０とを備え、それらアルミ製の框部材１８，１９，２０が、四隅に位置する合成樹脂製のコーナブロック、つまり、内サッシュ本体２の下側に位置する左右一対の下コーナブロック２１と上側に位置する左右一対の上コーナブロック２２とを介して互いに連結されて、全体が矩形になるように組付けられている。
その内サッシュ本体２の下框部材１８と下コーナブロック２１には、その長手方向に沿う凹入部２３が設けられ、その下框部材１８の凹入部２３内に下側内レール７上を転動する複数個の内ローラ２４が設けられ、かつ、上框部材１９と上コーナブロック２２には、その長手方向に沿うスリット２５が設けられて、そのスリット２５内に上側内レール９が挿入可能に構成されている。
【００２４】
左右一対の下コーナブロックのうち、右側に位置する下コーナブロック２１には、軟質の合成樹脂で形成された第二内側ヒレ２６と第三内側ヒレ２７とが取付けられている。
第二内側ヒレ２６は、図１０および図１１に示すように、縦ヒレ状に構成されて、下コーナブロック２１の右端近くに位置する状態で、かつ、右側の横框部材２０の長手方向に沿って取付けられた軟質の合成樹脂からなる横框用内側ヒレ２８（図１４参照）と連続するように上下方向に沿って左右に２枚取付けられている。
そして、この縦ヒレとしての第二内側ヒレ２６は、内サッシュ本体２を右側にスライドさせた状態で前記第一内側ヒレ１５に摺接して、内サッシュ本体２と右側の横枠体６との間の下方隙間から、排水用切欠き部１１を介して侵入しようとする風の侵入を抑制するように構成されている。
【００２５】
第三内側ヒレ２７は、下コーナブロック２１の左端近くに位置する状態で、下コーナブロック２１の凹入部２３に沿って内側に突出するように取付けられ、内サッシュ本体２をスライドさせる際、下側内レール７の周囲に摺接して、内サッシュ本体２の凹入部２３と下側内レール７との間の隙間から、排水用切欠き部１１を介して侵入しようとする風の侵入を抑制するように構成されている。
そして、その右側の下コーナブロック２１と左側の下コーナブロック２１との間に位置する下框部材１８には、下側内レール７の室外側の側面に摺接する軟質の合成樹脂からなる下框用内側ヒレ２９（図２参照）が、下框部材１８の長手方向に沿って取付けられている。
【００２６】
左右一対の下コーナブロックのうち、左側に位置する下コーナブロック２１には、軟質の合成樹脂で形成された第四内側ヒレ３０が、図９に示すように、下コーナブロック２１の凹入部２３に沿って内側に突出するとともに、室内側と室外側ならびに下方へも突出するように上下方向に沿って左右に２枚取付けられている。
この第四内側ヒレ３０は、内サッシュ本体２をスライドさせる際、その上部が下側内レール７の周囲に摺接し、内サッシュ本体２を右側にスライドさせた状態で、室外側に突出する中間部が外サッシュ本体２に摺接するように構成され、更に、サッシュ枠１の下枠体４には、図５に示すように、山形部材３１が設けられていて、内サッシュ本体２を右側にスライドさせた状態で、図１６および図１７に示すように、第四内側ヒレ３０の室内側に突出する中間部が、下側内レール７の室外側の側面において、山形部材の左傾斜面３１ａに摺接するとともに、下方へ突出する下部が、山形部材３１の左傾斜面３１ａに上方から摺接して、左側の下コーナブロック２１の凹入部２３と下側内レール７との間の隙間から侵入しようとする風の侵入を抑制するように構成されている。
【００２７】
左右一対の上コーナブロック２２には、図７の（ロ）に示すように、それぞれ軟質の合成樹脂で形成されたブロック側シール部材としての第五内側ヒレ３２が、上コーナブロック２２のスリット２５に沿ってスリット２５の内側に突出するように取付けられ、かつ、左側の上コーナブロック２２には、図８に示すように、軟質の合成樹脂で形成されたブロック側シール部材としての第六内側ヒレ３４が、スリット２５の内側に突出するように取付けられて、内サッシュ本体２をスライドさせる際、第五内側ヒレ３２が、上側内レール９の室内外側両面に摺接するとともに、第六内側ヒレ３４が、上側内レール９の周囲に摺接して、上コーナブロック２２のスリット２５と上側内レール９との間の隙間から侵入しようとする風の侵入を抑制するように構成されている。
そして、その両上コーナブロック２２の間に位置する上框部材１９には、上側内レール９の室内外側両面に摺接する軟質の合成樹脂からなる上框用内側ヒレ３３が、上框部材１９の長手方向に沿って取付けられている。
【００２８】
つぎに、外サッシュ本体３の構成について説明するが、左右の勝手違いはあるものの、上述した内サッシュ本体２と同じ構成なので、詳細な説明は省略して簡単に説明する。
この外サッシュ本体３も、図６の（イ）に示すように、アルミ製の下框部材３８、上框部材３９、横框部材４０、合成樹脂製の下コーナブロック４１と上コーナブロック４２などで全体が矩形に組付けられ、下框部材３８の凹入部４３内には、下側外レール８上を転動する複数個の外ローラ４４が設けられている。
【００２９】
左側に位置する下コーナブロック４１には、図１２および図１３に示すように、第二外側ヒレ４６と第三外側ヒレ４７とが取付けられ、縦ヒレとしての第二外側ヒレ４６は、左側の横框部材４０に取付けられた横框用外側ヒレ４８（図１５参照）と連続するように取付けられて、外サッシュ本体３を左側にスライドさせた状態で、枠側シール部材として機能する横ヒレからなる第一外側ヒレ１７に摺接するように、第三外側ヒレ４７は、下側外レール８の周囲に摺接するように構成され、かつ、下框部材３８には、下框用外側ヒレ４９が取付けられている。
【００３０】
右側に位置する下コーナブロック４１には、図９に示すように、第四外側ヒレ５０が取付けられて、外サッシュ本体３をスライドさせる際、その上部が下側外レール８の周囲に摺接するとともに、外サッシュ本体３を左側にスライドさせた状態で、図１６および図１７に示すように、室内側へ突出する中間部と下部とが、山形部材３１の右傾斜面３１ｂに案内され、その頂点を乗り越えて左傾斜面３１ａに摺接するように構成されている。
また、上コーナブロック４２には、図７の（イ）に示すように、ブロック側シール部材としての第五外側ヒレ５２がスリット４５に沿って内側に突出するように取付けられ、かつ、右側の上コーナブロック４２には、図８に示すように、ブロック側シール部材としての第六外側ヒレ５４が取付けられ、上框部材３９には、上側外レール１０に摺接する上框用外側ヒレ５３が取付けられている。
【００３１】
以上の構成からなるサッシュ構造では、内サッシュ本体２を右側に、外サッシュ本体３を左側にスライドさせることにより、板ガラスＧを保持する両サッシュ本体２，３によってサッシュ枠１の内側空間を閉じた閉じ姿勢となる。
この閉じ姿勢においては、下側内レール７の排水用切欠き部１１に設けられた第一内側ヒレ１５が、内サッシュ本体２の下コーナブロックのうちの右側の下コーナブロック２１の室内側の面に対応して接当し、右側の下コーナブロック２１と下側内レール７との間の隙間から風が侵入するのを抑制し、同様に、下側外レール８の排水用切欠き部１２に設けられた第一外側ヒレ１７が、外サッシュ本体３の左側の下コーナブロック４１の室内側の面に対応して接当し、左側の下コーナブロック４１と下側外レール８との間の隙間から風が侵入するのを抑制する。
【００３２】
更に、その下側内レール７の第一内側ヒレ１５に対して、内サッシュ本体２の下コーナブロック２１に設けられた第二内側ヒレ２６が、第一内側ヒレ１５の室外側に接当して、下コーナブロック２１と右側の横枠体６との間の隙間から風が侵入するのを抑制し、かつ、第三内側ヒレ２７が、内サッシュ本体２の凹入部２３と下側内レール７との間の隙間から風が侵入するのを抑制する。
同様に、下側外レール８の第一外側ヒレ１７に対して、外サッシュ本体３の下コーナブロック４１に設けられた第二外側ヒレ４６が、第一外側ヒレ１７の室外側に接当して、下コーナブロック４１と左側の横枠体６との間の隙間から風が侵入するのを、第三外側ヒレ４７が、外サッシュ本体３の凹入部４３と下側外レール８との間の隙間から風が侵入するのをそれぞれ抑制する。
【００３３】
内サッシュ本体２の左側の下コーナブロック２１においては、その下コーナブロック２１に設けられた第四内側ヒレ３０が、下側内レール７の周囲と山形部材３１の左傾斜面３１ａに接当して、下コーナブロック２１と下側内レール７との間の隙間からの風の侵入を抑制し、外サッシュ本体３の右側の下コーナブロック４１においては、その下コーナブロック４１に設けられた第四外側ヒレ５０が、下側外レール８の周囲と山形部材３１の左傾斜面３１ａに接当して、下コーナブロック４１と下側外レール８との間の隙間からの風の侵入を抑制する。
【００３４】
内サッシュ本体２の上コーナブロック２２においては、左右の上コーナブロック２２に設けられた第五内側ヒレ３２が、上側内レール９の室内外側両面に接当し、かつ、左側の上コーナブロック２２に設けられた第六内側ヒレ３４が、上側内レール９の周囲に接当して、上コーナブロック２２のスリット２５と上側内レール９との間の隙間からの風の侵入を抑制し、外サッシュ本体３の左右の上コーナブロック４２においては、上コーナブロック４２に設けられた第五外側ヒレ５２が、上側外レール１０の室内外側両面に接当し、右側の上コーナブロック４２に設けられた第六外側ヒレ５４が、上側外レール１０の周囲に接当して、上コーナブロック４２のスリット４５と上側外レール１０との間の隙間からの風の侵入を抑制する。
【００３５】
そして、内サッシュ本体２の右側の横框部材２０に設けられた横框用内側ヒレ２８は、サッシュ枠１の右側の横枠体５との間を、外サッシュ本体３の左側の横框部材４０に設けられた横框用外側ヒレ４８は、サッシュ枠１の左側の横枠体５との間をそれぞれ封止する。
更に、内サッシュ本体２と外サッシュ本体３との下框部材１８，３８に設けられた下框用内側ヒレ２９と外側ヒレ４９とは、下側内レール７と外レール８との間を、また、内サッシュ本体２と外サッシュ本体３との上框部材１９，３９に設けられた上框用内側ヒレ３３と外側ヒレ５３とは、上側内レール９と外レール１０との間をそれぞれ封止する。
【００３６】
この閉じ姿勢において、下側内レール７よりも室内側へ侵入した雨水は、下側内レール７の左側に設けられた切欠き部から下側外レール８側へ排水され、下側外レール８の室内側へ侵入した雨水と一緒になって、下側外レール８に設けられた排水孔１３から外部へ排水される。
また、両レール７，８の室内側に溜まった雨水や塵埃などを排出して清掃する際には、内サッシュ本体２や外サッシュ本体３を開き姿勢にして、下側内レール７の排水用切欠き部１１や下側外レールの排水用切欠き部１２から雨水などを排出するのであり、その際、第一内側ヒレ１５や第一外側ヒレ１７が、室外側ほど下方に位置するように傾斜しているので、雨水や塵埃排出の障害になることがなく、清掃作業を容易に行うことができる。
【００３７】
〔別実施形態〕
（１）先の実施形態では、内サッシュ本体２の上コーナブロック２２と外サッシュ本体３の上コーナブロック４２にブロック側シール部材としての第五内外ヒレ３２，５２や第六内外ヒレ３４，５４を設けた例を示したが、内サッシュ本体２の下コーナブロック２１と外サッシュ本体３の下コーナブロック４１にも、同様なブロック側シール部材を設けて、つまり、合計８個のコーナブロック２１，２２，４１，４２の全てにブロック側シール部材を設けて実施することもできる。
【００３８】
（２）先の実施形態では、サッシュ枠１の内側空間を閉じた閉じ姿勢において、内サッシュ本体２の右側の下コーナブロック２１と外サッシュ本体３の左側の下コーナブロック４１に対向するように枠側シール部材としての横ヒレ１５，１７を設けた例を示したが、内サッシュ本体２の左側の下コーナブロック２１と外サッシュ本体３の右側の下コーナブロック４１に対向する位置にも、同様な枠側シール部材を設けて実施することもでき、更に、合計８個のコーナブロック２１，２２，４１，４２に対向する全ての位置に枠側シール部材を設けて実施することもできる。ただし、上側レール９，１０においては、下側レール７，８のような排水用切欠き部１１，１２を設ける必要がないので、上側レール９，１０の室外側の面に枠側シール部材としての横ヒレを直接設けることになる。
【００３９】
（３）先の実施形態では、第一内側ヒレと外側ヒレ１５，１７、第二内側ヒレと外側ヒレ２６，４６、第三内側ヒレと外側ヒレ２７，４７、第四内側ヒレと外側ヒレ３０，５０、第五内側ヒレと外側ヒレ３２，５２、第六内側ヒレと外側ヒレ３４，５４などのシール部材を軟質の合成樹脂で形成した例を示したが、これらシール部材については、例えば、合成繊維などを植毛したモヘア状のものを使用することもでき、要するに、隙間風の侵入を抑制できるものであれば、その形状や材質などについては、種々の変更が可能である。
【図面の簡単な説明】
【図１】サッシュ構造の正面図
【図２】サッシュ構造の縦断面図
【図３】サッシュ枠の要部の斜視図
【図４】サッシュ枠の要部の斜視図
【図５】サッシュ枠の要部の斜視図
【図６】サッシュ本体の正面図
【図７】サッシュ本体の上面図
【図８】サッシュ構造の要部の縦断面図
【図９】サッシュ構造の要部の縦断面図
【図１０】サッシュ構造の要部の縦断面図
【図１１】サッシュ構造の要部の横断面図
【図１２】サッシュ構造の要部の縦断面図
【図１３】サッシュ構造の要部の横断面図
【図１４】サッシュ構造の要部の横断面図
【図１５】サッシュ構造の要部の横断面図
【図１６】山形部材の斜視図
【図１７】山形部材の一部切欠き正面図
【符号の説明】
１                      サッシュ枠
２，３                  サッシュ本体
４                      サッシュ枠の下枠体
７，８                  下側レール
９，１０                上側レール
１１，１２              排水用切欠き部
１５，１７              枠側シール部材としての横ヒレ
１８，３８ 下框部材
２１，４１              下コーナブロック
２２，４２              上コーナブロック
２６，４６              縦ヒレ
２９，４９ 下框用ヒレ
【図１】
0003664637.tif 000002
【図２】
0003664637.tif 000003
【図３】
0003664637.tif 000004
【図４】
0003664637.tif 000005
【図５】
0003664637.tif 000006
【図６】
0003664637.tif 000007
【図７】
0003664637.tif 000008
【図８】
0003664637.tif 000009
【図９】
0003664637.tif 000010
【図１０】
0003664637.tif 000011
【図１１】
0003664637.tif 000012
【図１２】
0003664637.tif 000013
【図１３】
0003664637.tif 000014
【図１４】
0003664637.tif 000015
【図１５】
0003664637.tif 000016
【図１６】
0003664637.tif 000017
【図１７】
0003664637.tif 000018